(57)【要約】【課題】従来のキャットタワーを置くスペースが無い場合にも設置可能であり、また、突っ張り棒を用いずとも転倒することが無く、さらに、猫の成長に応じて、自在にステップ等のアレンジを変更することができるとともに、安全性にも優れたキャットタワーセットを提供する。【解決手段】本発明に係るキャットタワーセットは、一端にコの字状の吊り掛け取付部とレール部とを有する２以上のレール２ａ、２ｂ、２ｃと、上記レールに沿って移動可能で且つ任意の位置で固定可能な複数の留め具と、上記複数のレールのうち、少なくとも２の異なるレールにそれぞれ設けられた少なくとも各１の上記留め具を用いて固定されるステップ３ａ、３ｂ、３ｃ、３ｄとを備えたことを特徴とするものである。【選択図】図１
2019216715.tif 000002
【特許請求の範囲】
【請求項１】
一端にコの字状の吊り掛け取付部とレール部とを有する２以上のレールと、
上記レールに沿って移動可能で且つ任意の位置で固定可能な複数の留め具と、
上記複数のレールのうち、少なくとも２の異なるレールにそれぞれ設けられた少なくとも各１の上記留め具を用いて固定されるステップと
を備えたことを特徴とするキャットタワーセット。
【請求項２】
上記レール部は、断面が略直方体状のパイプ状体の１面の略中央部に長手方向に沿って切りかけを設けた形状である
ことを特徴とする請求項１に記載のキャットタワーセット。
【請求項３】
上記ステップは、
板状体と、
上記板状体の下部に設けられたステップ固定部と、
上記板状体とステップ固定部とを支持する支持棒と
を有し、
上記ステップ固定部に近接する位置において上記板状体とが回転可能に結合し、
上記支持棒は回転可能に結合した２本の棒状体であり、上記ステップ固定部の下部に回転可能に結合し、上記板状体と回転可能に結合する
ことを特徴とする請求項１または２に記載のキャットタワーセット。
【請求項４】
上記留め具はナット部を有し、
上記ステップ固定部は開口を有し、
上記留め具と上記ステップ固定部とは、ボルトを上記ステップ固定部の開口に通し、上記ナット部にねじ止めすることで、上記留め具に上記ステップ固定部が固定される
ことを特徴とする請求項３に記載のキャットタワーセット。
【請求項５】
上記ステップ固定部の開口は横長形状である
ことを特徴とする請求項４に記載のキャットタワーセット。
【請求項６】
板状パネルである基体と、
当該基体の表面に設けられ、当該基体の長手方向に延伸する２以上のレールと、
上記レールに沿って移動可能で且つ任意の位置で固定可能な複数の留め具と、
上記複数のレールのうち、少なくとも２の異なるレールにそれぞれ設けられた少なくとも各１の上記留め具を用いて固定されるステップとを備え、
上記基体の下辺部は敷居の溝幅に嵌合する幅を有し、上記基体の上辺部は鴨居の溝幅に嵌合する幅を有する
ことを特徴とするキャットタワー。
【請求項７】
家具に設けたキャットタワーであって、
当該家具の表面に設けられ、当該家具の略鉛直方向に延伸する２以上のレールと、
上記レールに沿って移動可能で且つ任意の位置で固定可能な複数の留め具と、
上記複数のレールのうち、少なくとも２の異なるレールにそれぞれ設けられた少なくとも各１の上記留め具を用いて固定されるステップとを備えた
ことを特徴とするキャットタワー。
【請求項８】
上記レールは、断面が略直方体状のパイプ状体の１面の略中央部に長手方向に沿って切りかけを設けた形状である
ことを特徴とする請求項６または７に記載のキャットタワー。
【請求項９】
上記ステップは、
板状体と、
上記板状体の下部に設けられたステップ固定部と、
上記板状体とステップ固定部とを支持する支持棒と
を有し、
上記ステップ固定部に近接する位置において上記板状体とが回転可能に結合し、
上記支持棒は回転可能に結合した２本の棒状体であり、上記ステップ固定部の下部に回転可能に結合し、上記板状体と回転可能に結合する
ことを特徴とする請求項６から９のいずれかに記載のキャットタワー。
【請求項１０】
上記留め具はナット部を有し、
上記ステップ固定部は開口を有し、
上記留め具と上記ステップ固定部とは、ボルトを上記ステップ固定部の開口に通し、上記ナット部にねじ止めすることで、上記留め具に上記ステップ固定部が固定される
ことを特徴とする請求項９に記載のキャットタワー。
【請求項１１】
上記ステップ固定部の開口は横長形状である
ことを特徴とする請求項１０に記載のキャットタワー。
【発明の詳細な説明】
【技術分野】
【０００１】
本発明は、猫が室内において昇り降りできるキャットタワーセット、およびキャットタワーに関するものである。
【背景技術】
【０００２】
猫は、その可憐な容姿と愛くるしい仕草や鳴き声から、多くの家庭において家族同様に愛されている。
一方で、猫は人間と同様に神経質な性格を有し、ストレスを感じやすい動物でもある。特に、室内において飼育する場合、運動不足等からストレスを受けやすい。そのため、猫のストレス解消を目的とした玩具が数多く開発されている。
【０００３】
そのひとつがキャットタワーである。キャットタワーは、一般には２ｍ前後の高さを持つ支柱に、いくつかのステップを取付け、猫がステップを昇り降りできるようにした玩具である。猫は、その身軽さから高い場所を好む性質があり、キャットタワーは、運動不足の解消とともに、猫のそういった性質を満足させてやることで、猫のストレス解消に好適な玩具である。
【０００４】
ただし、猫は身体の大きさに比べて強い跳躍力を持つため、ステップからステップに飛び移る際には、キャットタワーに大きな衝撃が掛かる。このような大きな衝撃に耐えうる強度を有する支柱とステップ等との連結部材が提案されている（例えば、特許文献１）。
【０００５】
また、背の高いキャットタワーにおいては、上記の衝撃により、キャットタワー自体が転倒してしまう恐れもある。特に、最も高い位置のステップから猫が飛び降りた際には、キャットタワーに大きな回転力が生じるため、転倒が起こりやすい。そのため、部屋の天井に突っ張り棒を用いて固定する方法も提案されている（例えば、特許文献２）。
【先行技術文献】
【特許文献】
【０００６】
【特許文献１】特開２００９−１３８８４３号公報
【特許文献２】特開２０１２−２４０６６号公報
【発明の概要】
【発明が解決しようとする課題】
【０００７】
しかしながら、パイプ等の支柱にステップを取付けたキャットタワーにおいては、その連結部を強固にしたとしても、猫が跳躍を繰り返すことで、支柱に歪や曲りが生じることにより、連結部にも歪が生じてしまい、安全性や長期的な信頼性の観点において課題を有していた。
【０００８】
また、転倒を防ぐために突っ張り棒を用いて固定する方式においては、天井を痛めたり破損したりしてしまうという問題がある。猫が跳躍を繰り返すことで、キャットタワー全体が衝撃を受け、それを受け止める天井に大きな力が繰り返し掛かるためである。天井は壁と異なり、強度の高い材質で作られておらず、このような衝撃に耐えるように設計されていない。
【０００９】
そもそも、突っ張り棒だけでは転倒を防止するには不十分であり、まず、基本として、床に設置されるベース部分の面積を広くし、その重量をできるだけ重くすることが必要である。しかし、ベース部分の面積を広くすれば、設置面積が大きくなり、欧米に比べて狭小な日本の住まいには不適である。また、ベース部分の重量を重くすると、構成部材のコストや運搬費が掛かるとともに、家庭内での設置作業を困難にするといった課題も生じる。
【００１０】
本発明は上記の課題等を解決するとともに、複数のステップを自由に配置可能であり、さらに猫の爪が引っかかって怪我をするようなことがないよう、あるいは人がステップに引っ掛かることが無いよう、猫や人に対する安全性にも考慮したキャットタワーセット、およびキャットタワーを提供するものである。
【課題を解決するための手段】
【００１１】
本発明に係るキャットタワーセットは、
一端にコの字状の吊り掛け取付部とレール部とを有する２以上のレールと、
上記レールに沿って移動可能で且つ任意の位置で固定可能な複数の留め具と、
上記複数のレールのうち、少なくとも２の異なるレールにそれぞれ設けられた少なくとも各１の上記留め具を用いて固定されるステップとを備えたことを特徴とするものである。
【００１２】
上記レール部は、断面が略直方体状のパイプ状体の１面の略中央部に長手方向に沿って切りかけを設けた形状であることを特徴とするものである。
【００１３】
上記ステップは、
板状体と、
上記板状体の下部に設けられたステップ固定部と、
上記板状体とステップ固定部とを支持する支持棒と
を有し、
上記ステップ固定部に近接する位置において上記板状体と上記ステップ固定部とが回転可能に結合し、
上記支持棒は回転可能に結合した２本の棒状体であり、上記ステップ固定部の下部に回転可能に結合し、上記ステップ固定部に遠接する位置において上記板状体と回転可能に結合することを特徴とするものである。
【００１４】
上記留め具はナット部を有し、
上記ステップ固定部は開口を有し、
上記留め具と上記ステップ固定部とは、ボルトを上記ステップ固定部の開口に通し、上記ナット部にねじ止めすることで、上記留め具に上記ステップ固定部が固定されることを特徴とするものである。
【００１５】
上記ステップ固定部の開口は横長形状であることを特徴とするものである。
【００１６】
本発明に係るキャットタワーは、
板状パネルである基体と、
当該基体の表面に設けられ、当該基体の長手方向に延伸する２以上のレールと、
上記レールに沿って移動可能で且つ任意の位置で固定可能な複数の留め具と、
上記複数のレールのうち、少なくとも２の異なるレールにそれぞれ設けられた少なくとも各１の上記留め具を用いて固定されるステップとを備え、
上記基体の下辺部は敷居の溝幅に嵌合する幅を有し、上記基体の上辺部は鴨居の溝幅に嵌合する幅を有することを特徴とするものである。
【００１７】
本発明に係るキャットタワーは、家具の設けたものであり、
当該家具の表面に設けられ、当該家具の略鉛直方向に延伸する２以上のレールと、
上記レールに沿って移動可能で且つ任意の位置で固定可能な複数の留め具と、
上記複数のレールのうち、少なくとも２の異なるレールにそれぞれ設けられた少なくとも各１の上記留め具を用いて固定されるステップとを備えたことを特徴とするものである。
【発明の効果】
【００１８】
本発明に係るキャットタワーセットは上記のように構成されるため、開き戸（ドア）や引き戸等の戸に設置可能である。また、本発明に係るキャットタワーは、板状パネルである基体に設けられ、当該基体は鴨居と敷居に嵌めこんで引き戸として使用できる。したがって、部屋に従来のキャットタワーを置くスペースが無い場合においても設置可能である。家具を利用する場合も同様である。
【００１９】
また、しっかりと立直する戸の一面を利用しているため、突っ張り棒を用いずとも転倒することが無いので、天井等への悪影響がない。
【００２０】
さらに、ステップの高さ位置を任意に変更可能であり、ステップの数や各ステップの傾斜角度も変更できる。したがって、猫の成長に応じて、自在にステップ等のアレンジを変更することができる。また、成長した猫であっても、飽きないように、アレンジを変更することができる。
【００２１】
また、レールの断面形状を工夫することで、猫の爪が引っかかりにくい、安全性の高いキャットタワーセットやキャットタワーを提供することができる。
【００２２】
また、ステップは、板状体と、上記板状体の下部に設けられたステップ固定部と、上記板状体とステップ固定部とを支持する支持棒とを有し、上記ステップ固定部に近接する位置において上記板状体とが回転可能に結合し、上記支持棒は回転可能に結合した２本の棒状体であり、上記ステップ固定部の下部に回転可能に結合し、上記板状体と回転可能に結合するように構成することで、ステップを９０°下方に回転させて、戸の表面に折りたたむことができる。これにより、ステップに人が引っかかるといった危険性を少なくすることができる。
以上のように、猫に対しても人に対しても安全性を向上することができる。
【図面の簡単な説明】
【００２３】
【図１】本発明の実施の形態１に係るキャットタワーセットを用いたキャットタワーの（ａ）左側面図と（ｂ）正面図である。
【図２】本発明の実施の形態１に係るキャットタワーセットのレール部と留め具の構成を説明するための図であり、（ａ）上面図と（ｂ）側面図である。
【図３】本発明の実施の形態１に係るキャットタワーセットのレール部と留め具を用いたステップの固定方法を説明するための図である。
【図４】本発明の実施の形態１に係るキャットタワーセットのステップの構成を説明するための側面図である。
【図５】本発明の実施の形態２に係るキャットタワーの正面図である。
【図６】本発明の実施の形態３に係るキャットタワーセットを用いたキャットタワーの正面図である。
【図７】異なるレール形状に関する説明図である。
【発明を実施するための形態】
【００２４】
本発明に係るキャットタワーセットおよびキャットタワーの構成等の複数の実施の形態に関して、以下において、図面を用いて説明する。なお、以下の説明は本発明に関する良好な一例を開示するものであり、本発明が当該実施の形態に限定されるものではない。
【００２５】
実施の形態１．
図１は、本実施の形態におけるキャットタワーセットが戸（開き戸）１に設置されたキャットタワーの（ａ）左側面図と（ｂ）正面図である。また、図２は、本実施の形態におけるキャットタワーセットのレール部と留め具の構成を説明するための図であり、（ａ）上面図と（ｂ）側面図である。
【００２６】
本発明に係るキャットタワーセットは、一端にコの字状の吊り掛け取付部２１とレール部２２とを有する２以上のレール２と、上記レール２に沿って移動可能で且つ任意の位置で固定可能な複数の留め具４と、上記複数のレール２のうち、少なくとも２の異なるレールのレール部２２にそれぞれ設けられた少なくとも各１の上記留め具４を用いて固定されるステップ３とを備えたものである。
なお、図１において、レール２は、２ａ、２ｂ、２ｃのいずれかを表している。同様に、ステップ３は、３ａ、３ｂ、３ｃ、３ｄのいずれかを表している。
【００２７】
開き戸１は、通常、上部にわずかな空間を有するため、その空間を利用してキャットタワーセットを設置する。具体的には、図１に示すように、コの字状の吊り掛け取付部２１を開き戸１の上端面に嵌め込み、上端面にレール２を吊るすようにして設置する。レール２の本数は少なくとも２本であり、図１のように３本であっても、それ以上の本数であっても良い。
【００２８】
レール２の構造は、図２に示すように、レール部２２が、断面が略直方体状のパイプ状体の１面の略中央部に長手方向に沿って切りかけを設けた形状であることを特徴とするものである。Ｃ字状の中空構造である。例えば、金属板の曲げ加工により作製する。
【００２９】
留め具４は、図２に示すように、ナット部４ａと板バネ部４ｂからなる。図２（ａ）に示すように、ナット部４ａと板バネ部４ｂがレール部２２を挟み込み、レール部２２に沿って移動可能である。この留め具４を用いて、ステップ３を固定する。この固定方法について、図３と図４を用いて、以下に説明する。
【００３０】
図３は、キャットタワーセットのレール部２２と留め具４を用いたステップの固定方法
を説明するための図である。また、図４は、キャットタワーセットのステップの構成を説明するための側面図である。
【００３１】
図４に示すように、ステップ３は、板状体３１と、この板状体３１の下部に設けられたステップ固定部３２と、上記板状体３１とステップ固定部３２とを支持する支持棒３４、３５とを有し、上記ステップ固定部３２に近接する位置３３において上記板状体３１と上記ステップ固定部３２とが回転可能に結合し、上記支持棒３４，３５は回転軸３６において回転可能に結合した２本の棒状体であり、上記ステップ固定部３２の下部３７において回転可能に結合し、上記ステップ固定部３２に遠接する位置３８において上記板状体３１と回転可能に結合することを特徴とするものである。
【００３２】
このような構成とすることで、板状体３１をステップ固定部３２に対して、９０°の角度に固定したり、固定部３２に略当接するように折りたたんだりすることができる。
また、ステップ固定部３２には開口３２ａを有し、図３のように、ボルト５を用いて、留め具４のナット部４ａと結合させることができる。ボルト５を締め付けることで、レール部２２と留め具４、そして、留め具４とステップ３とがしっかりと固定される。
【００３３】
なお、ステップ固定部３２に設けられた開口３２ａは、水平方向に２以上設けられ、複数の留め具４とステップ３とを結合させることで、強固に固定できる。例えば、図１において、ステップ３ａは、レール２ａに設けられた留め具４と、レール２ｂに設けられた留め具４によって固定されている。
【００３４】
図１に示すように、各ステップ３は水平に取り付けられる。ただし、ステップ固定部３２の開口３２ａを横長形状にすれば、ステップ３を傾斜して取り付けることも可能である。開口３２ａが横長形状であれば、例えば、レール２ａに設けられた留め具４の高さ位置と、レール２ｂに設けられた留め具４の高さ位置を少しだけずらすことで、ステップ３を傾斜して取り付けることができる。
【００３５】
実施の形態２．
図５は、本実施の形態におけるキャットタワーの正面図である。
実施の形態１と主に異なる点は、引き戸に、実施の形態１でしめしたレールが組み込まれている点である。
【００３６】
本実施の形態に係るキャットタワーは、板状パネルである基体１ａと、当該基体１ａの表面に設けられ、当該基体１ａの長手方向に延伸する２以上のレール２ａ、２ｂ、２ｃと、上記の各レール２ａ、２ｂ、２ｃに沿って移動可能で且つ任意の位置で固定可能な複数の留め具と、上記複数のレール２ａ、２ｂ、２ｃのうち、少なくとも２の異なるレールにそれぞれ設けられた少なくとも各１の上記留め具を用いて固定されるステップ３とを備え、上記基体１ａの下辺部は敷居の溝幅に嵌合する幅を有し、上記基体の上辺部は鴨居の溝幅に嵌合する幅を有することを特徴とするものである。
なお、実施の形態１で示したパーツと同等の機能を持つパーツは同じ記号で示した。例えば、レール２ａ、２ｂ、２ｃやステップ３は同じ記号を付している。また、図５において、留め具は図示していないが、実施の形態１における留め具４と同等のものである。
【００３７】
各レール２ａ、２ｂ、２ｃは、板状パネルである基体１ａに設置されている。例えば、板状パネルである基体１ａに縦方向に３本の凹部を設け、そこにレール２ａ、２ｂ、２ｃを嵌め込み、さらに接着剤やボルトを用いて固定する。
【００３８】
基体１ａの下方に猫ドア６を設けても良い。例えば、猫の力で押し開きできるドアであっても良い。
【００３９】
基体１ａの下辺部は敷居の溝幅に嵌合する幅を有し、上記基体の上辺部は鴨居の溝幅に嵌合する幅を有するので、このキャットタワーを引き戸として利用できる。
【００４０】
実施の形態３．
図６は、本実施の形態におけるキャットタワーセットを用いたキャットタワーセットの正面図である。
実施の形態１と主に異なる点は、開き戸ではなく、引き戸１ｂに、実施の形態１でしめしたキャットタワーを設けている点である。
開き戸と異なり、引き戸は上端にスペースが無い。そこで、上端部に切りかけ７を設け、そこに実施の形態１と同様のキャットタワーセットを設置している。
【００４１】
実施の形態４．
レールの断面形状は、実施の形態１で示した断面形状に限らず、どのような形状であっても良い。すなわち、複数の留め具をレールに沿って移動可能で且つ任意の位置で固定可能なものであれば、どのようなものであっても良い。
【００４２】
図７は、レールと留め具の断面形状を示している。図７（ａ）は実施の形態１で示した断面形状であり、図７（ｂ）は異なる断面形状のレール２２０とそれに沿って可動する留め具４０を示している。
【００４３】
レール２２０の断面形状はエの字状であり、留め具４０は、このレールに沿って仮想するガイドとナット４０ａから構成される。
ただし、このようなレール形状の場合、レールの突き出た部分に猫の爪が引っかかりやすく、怪我をする場合がある。したがって、レールの形状は、図７（ａ）のように、爪が引っかかりにくい形状が望ましい。
【００４４】
実施の形態５．
実施の形態２においては、引き戸にレールを組み込んだキャットタワーについて説明した。同様の構造および機構を有するキャットタワーを、引き戸の代わりに家具を用いても作製することができる。
例えば、タンス等の側面にレールを設けても良い。家具はタンスに限らず、オープン型のシェルフや本棚等であっても良い。家具が引き戸を有する場合には、引き戸にレールを設けても良い。
すなわち、家具に設けたキャットタワーであって、当該家具の側面等の表面に設けられ当該家具の略鉛直方向に延伸する２以上のレールと、上記レールに沿って移動可能で且つ任意の位置で固定可能な複数の留め具と、上記複数のレールのうち、少なくとも２の異なるレールにそれぞれ設けられた少なくとも各１の上記留め具を用いて固定されるステップとを備えたものであっても、実施の形態２で述べた引き戸に設けたキャットタワーと同様の特長を有する。
【００４５】
本発明のまとめ．
実施の形態１および３においては、開き戸や引き戸に簡単に設置できるキャットタワーセットについて説明した。また、実施の形態２においては、レールが組み込まれている引き戸型のキャットタワーについて説明した。さらに、実施の形態５においては、レールが家具組み込まれているキャットタワーについて説明した。
【００４６】
いずれの実施の形態においても、戸を利用してキャットタワーを設けることができるので、部屋に従来のキャットタワーを置くスペースが無い場合においても設置可能である。家具を利用する場合も同様である。
【００４７】
また、しっかりと立直する戸の一面を利用しているため、突っ張り棒を用いずとも転倒することが無いので、天井等への悪影響がない。
【００４８】
さらに、ステップの高さ位置を任意に変更可能であり、ステップの数や各ステップの傾斜角度も変更できる。したがって、猫の成長に応じて、自在にステップ等のアレンジを変更することができる。また、成長した猫であっても、飽きないように、アレンジを変更することができる。
【００４９】
また、レールの断面形状を工夫することで、猫の爪が引っかかりにくい、安全性の高いキャットタワーセットやキャットタワーを提供することができる。
【００５０】
また、ステップは、板状体と、上記板状体の下部に設けられたステップ固定部と、上記板状体とステップ固定部とを支持する支持棒とを有し、上記ステップ固定部に近接する位置において上記板状体とが回転可能に結合し、上記支持棒は回転可能に結合した２本の棒状体であり、上記ステップ固定部の下部に回転可能に結合し、上記板状体と回転可能に結合するように構成することで、ステップを９０°下方に回転させて、戸の表面に折りたたむことができる。これにより、ステップに人が引っかかるといった危険性を少なくすることができる。
以上のように、猫に対しても人に対しても安全性を向上することができる。
【符号の説明】
【００５１】
１  戸（開き戸）
１ａ  板状パネルである基体
１ｂ  引き戸
２、２ａ、２ｂ、２ｃ  レール
２１  吊り掛け取付部
２２、２２０  レール部
３、３ａ、３ｂ、３ｃ、３ｄ  ステップ
３１  板状体
３２  ステップ固定部
３２ａ  開口
３３、３６、３７、３８  回転軸
３４、３５  支持棒
４、４０  留め具
４ａ、４０ａ  ナット部
４ｂ  板バネ部（ガイド部）
５  ボルト
６  猫ドア
【図１】
2019216715.tif 000003
【図２】
2019216715.tif 000004
【図３】
2019216715.tif 000005
【図４】
2019216715.tif 000006
【図５】
2019216715.tif 000007
【図６】
2019216715.tif 000008
【図７】
2019216715.tif 000009